(57)【特許請求の範囲】
【請求項１】
湾曲した上レールに吊設され、下端を拘束する下レールを持たない横引きシャッター装置において、該横引きシャッターは複数枚のパネルが主継手と従継手を介して折畳み出来るように連結され、そして主継手の上端には上記上レールを走行する吊車が取着され、上レールの湾曲部の内側ガイド片を削除していると共に、湾曲部の内側両端にはガイド部材を取付け、そして主継手の下端には床面に圧接するロックツマミを取付けたことを特徴とする折畳み式横引きシャッター装置。
【請求項２】
上記ガイド部材は中央側を傾斜した直角三角形とし、内側ガイド片と同じ位置に取付けた請求項１記載の折畳み式横引きシャッター。
【請求項３】
上記吊車のローラ外周は丸みを形成した請求項１、又は請求項２記載の折畳み式横引きシャッター装置。
【請求項４】
上記吊車は主継手と作動軸を介して屈曲可能に連結した請求項１、請求項２、又は請求項３記載の折畳み式横引きシャッター装置。
【発明の詳細な説明】
【技術分野】
【０００１】
本発明は湾曲部を有す上レールに沿ってスムーズに移動することが出来る折畳み式横引きシャッターに関するものである。
【背景技術】
【０００２】
横引きシャッターとは複数枚の縦長パネルを繋いで構成したものであり、パネルの両側端には継手片を設け、継手片を互いに連結することで各パネルは屈曲して折畳むことが出来る。従って、間口にこの横引きシャッターを装着するならば、該間口を横引きシャッターによって開閉することが出来る。すなわち、複数枚のパネルを繋いで構成される横引きシャッターは、引くことで引き伸ばされ、先端（引手框）を押すことで各パネルは折畳まれて間口の片側に収納される。
【０００３】
横引きシャッターの用途は色々あり、店舗の正面間口、病院の受付カウンター、車庫の入口などに使用されている。ところで、該横引きシャッターは複数枚のパネルが継手を介して折畳み出来るように連結して構成され、主継手の上端には吊車が取付けられ、下端にはスライダーが設けられて下方へ突出している。そこで、上記吊車は間口の上端に沿設した上レールに載って走行し、上記スライダーは間口の下端に沿設した下レールに遊嵌している。
【０００４】
そこで、横引きシャッターは吊車を介して上レールに吊設され、そしてスライダーは下レールに設けているガイド溝に遊嵌することで、該横引きシャッターは上レールと下レールに沿って移動して該間口を開閉することが出来る。ここで、横引きシャッターの移動に際して主継手は上レール及び下レールに沿って移動するが、主継手の間に設けられる従継手は折畳み操作時には上レール及び下レールから外へはみ出す。
【０００５】
ところで、横引きシャッターは直線上を移動するのみならず、湾曲移動して開閉する場合もあり、このような場合には上レール及び下レールは所定の曲率半径をもって湾曲した湾曲部を有している。パネル上端部は上レール内にのみ込まれる為に、湾曲部を通過するには該湾曲部の曲率半径Ｒ、及びパネル幅が制約され、該曲率半径Ｒが小さくなり、またパネル幅が大きくなると湾曲部を通過することは出来なくなる。
【０００６】
実公平２−４２３４号に係る「折畳み式横引きシャッターの湾曲軌道構造」は、特許出願人が以前に取得した実用新案であり、「鴨居枠Ａと敷居枠Ｂの狭軌道Ｗ１に各戸片Ｄ１〜ＤＮの上下端を嵌込み案内して直進移動させるようにした折畳み式横引きシャッターにおいて、コーナ部の湾曲軌道Ｗ２を、上記狭軌道巾で、かつ、横引きシャッター吊車ＳのハンガーレールＲと同一曲率で湾曲する狭軌道Ｗ１に内装して湾曲する拡大軌道Ｗ２を付設して構成すると共に、少なくとも吊車Ｓに支持されない継材Ｊ２を湾曲軌道Ｗ２により軌道半径方向に遊びを与えるようにしている。」
【０００７】
すなわち、湾曲部では上レール幅を広くしてパネルが通過するようにしている。しかし、主継手の下端からスライダーを突出して下レールに形成したガイド溝に遊嵌することで横引きシャッターの下端をガイドしているが、下レールがない場合には上記湾曲部をパネルが通過する時に内側へ引かれて該パネルは内倒れする。その結果、湾曲部をパネルが通過する時に吊車が上レールに引っ掛かって動作し難く、特にパネル幅が大きくて重い場合にはその傾向が著しくなる。
【特許文献１】実公平２−４２３４号に係る「折畳み式横引きシャッターの湾曲軌道構造」
【発明の開示】
【発明が解決しようとする課題】
【０００８】
このように湾曲部を有す横引きシャッターには上記のごとき問題がある。本発明が解決しようとする課題はこの問題点であり、下レールがなく、パネル幅が大きくて重いパネルであっても、湾曲部をスムーズに通過することが出来る横引きシャッター装置を提供する。
【課題を解決するための手段】
【０００９】
本発明に係る横引きシャッターは複数枚のパネルを継手を介して折畳み出来るように連結した構造であり、主継手の上端には吊車が取付けられ、該吊車は上レールに載って走行することが出来る。主継手の間には従継手が存在して横引きシャッターが折畳まれる場合には該従継手は上レールから外にはみ出すことが出来、横引きシャッターとしての基本構造は従来と共通する。
【００１０】
そして、本発明では下レールを沿設せず、その為に下レールに嵌るスライダーは主継手下端に存在しない。ただし、横引きシャッターが伸長して間口を閉じた場合の位置決め手段として、例えば主継手下端を固定する為のロックツマミを備える。ここで、上記吊車の具体的な構造、並びに主継手及び従継手の具体的な構造は限定しない。そして、上レールの湾曲部内側にはパネルを拘束するガイド片は削除されているが、削除した湾曲部の両端内側にはガイド部材を取付けている。
【００１１】
一方、湾曲部を通過する際にパネルが内側へ倒れる場合であっても、吊車のローラが上レールと接触してこじれないように外周に丸みを形成した形状としている。また、主継手の上端に取着している吊車との間に作動軸を設け、パネルが内側に倒れた場合であっても吊車が傾かない構造としている。
【発明の効果】
【００１２】
本発明の横引きシャッターは上レールに吊設されて移動することで間口を開閉することが出来るが、下レールが無いことで床面にはスライダーが遊嵌するガイド溝はなく、その為に床面はスッキリする。従って、床のゴミがガイド溝に入ることはなく、床掃除をする際も便利である。
【００１３】
そして、下レールがないことでパネル下端はフリーな状態であって、上レールの湾曲部を通過する時には内側へ倒れようとするが、湾曲部の内側両端にはガイド部材を取付けていることで、パネルの倒れを抑制することが出来る。ただし、ガイド部材はあくまでも湾曲部両端であって中央部にはガイドする部材が存在しない為にパネルは湾曲部を倒れることなくスムーズに通過することが出来る。該湾曲部の内側に設けてパネル上端部を拘束する為のガイド片が切欠かれているが、この切欠き領域を小さくすることでパネルの傾きを抑制することが出来、その為に横引きシャッターは湾曲部をスムーズに通過して開閉操作が出来る。
【００１４】
一方、横引きシャッターを吊設して開閉する為に上レールを走行する吊車の車輪外周を丸くすることもある。その為に、湾曲部を通過する際にパネルが内側へ傾いても、吊車のローラが上レールに引っ掛かってこじれることはない。また、吊車を取着している主継手との間に作動軸を設けるならば、パネルが湾曲部を傾斜して通過する場合であっても、該吊車が傾くことはなく湾曲部をスムーズに通過することが出来る。
【図面の簡単な説明】
【００１５】
【図１】本発明の横引きシャッター装置。
【図２】上レールの湾曲部。
【図３】（ａ）は図２のＢ−Ｂ断面拡大図、（ｂ）は図２のＣ−Ｃ断面拡大図。
【図４】上レール内側に形成される空間。
【図５】ローラ外周に丸みを有す吊車。
【図６】主継手が作動軸を介して連結した吊車。
【発明を実施するための形態】
【００１６】
図１は概略Ｌ形をした横式シャッターの概略図を示す実施例であり、（ａ）は横断面図、（ｂ）は正面図をそれぞれ表している。同図の１は横引きシャッター、２は上レールを表し、該横引きシャッター１は複数枚のパネル３，３・・・が継手４ａ，４ｂ，４ａ，４ｂ・・・によって繋がれて構成している。ここで、継手４ａは主継手を示し、４ｂは従継手を表している。
【００１７】
図１に示す横引きシャッター１は概略Ｌ形をした間口は閉じているが、先端の引手框５を押圧するならば、各パネル３，３・・・は折畳まれて吊元側へ収納される。主継手４ａ，４ａ・・・の上端には吊車６，６・・・が取着され、その為に、引手框５を押圧するならば吊車６，６・・・は上レール２を走行し、従継手４ｂ，４ｂ・・・は上レール２から外へはみ出して折畳まれる。逆に、折畳まれた横引きシャッター１の引手框５を引くならば、上レール２に沿って吊車６，６・・・は走行して従継手４ｂ，４ｂ・・・は上レール内に収まる。
【００１８】
そして、本発明の横引きシャッター１は下レール（床レール）を設けておらず、その為に、主継手４ａ，４ａ・・・の下端にはスライダーを備えていない。従って、横引きシャッター１を伸長して間口を閉じた状態で主継手４ａ，４ａ・・・の下端を床面７に固定する為に、該主継手４ａ，４ａ・・・の下端にはロックツマミ８．８・・・が取付けられ、該ロックツマミ８，８・・・を回転することで床面７に圧接して固定される。
【００１９】
図２は上レール２の湾曲部１４を示し、（ａ）は横引きシャッター１が収容されている場合、（ｂ）は湾曲部１４に横引きシャッター１が収容されていない場合を表している。図３は吊車６が収容されている上レール２の断面を示しているが、（ａ）は図２のＢ−Ｂ断面拡大図、（ｂ）は図２のＣ−Ｃ断面拡大図をそれぞれ表している。吊車６は両側にローラ９，９を有し、上レール２に形成したレール片１０，１０に載って転動することが出来る。
【００２０】
レール片１０，１０には吊車６が片側へ寄らないように小さい突片１１，１１を形成し、またレール片１０，１０の下方にはガイド片１２，１２を設けている。レール片１０，１０、及びガイド片１２，１２は上レール２の側壁１３，１３から内方向へ水平に延び、ガイド片１２，１２は横引きシャッター１のパネル３，３・・・の上端部が横ズレしないように拘束することが出来る。
【００２１】
ところで、図３（ｂ）に示すように、湾曲部１４では内側のガイド片１２を削除している。湾曲部１４の内側にガイド片１２を設けているならば、所定の幅のパネル３，３・・・はガイド片１２に当たって湾曲部１４を通過することが出来ない。しかし、内側にガイド片１２を設けないことで各パネル３，３・・・と内側の側壁１３との間には空間１５が形成され、この空間１５の存在で湾曲部１４を通過する際にパネル３，３・・・は内側へ動いてガタ付きを生じる。
【００２２】
本発明は内側ガイド片１２を削除することで内側側壁１３との間に余分な空間１５が形成されるにも関わらず、パネル３，３・・・のガタ付きを抑制することが出来る上レール構造としている。上記図２（ｂ）は横引きシャッターが収容されていない状態での上レール２の湾曲部１４を示しているが、この湾曲部１４の両端にガイド部材１６，１６を取着している。ガイド部材１６はガイド片１２と同じ位置に設けられ、その形状は中央側を傾斜した直角三角形とし、パネル３が移動して湾曲部１４から直線部１７へ進み易くしている。ただし、ガイド部材１６の具体的な形状は上記直角三角形に限定するものではなく、パネル上端部がガイドされて湾曲部１４から直線部１７へスムーズに移動出来る形状であればよい。
【００２３】
勿論、このガイド部材１６を上レール２の内側側壁１３に取着しないで、内側ガイド片１２の両端に傾斜したガイド部材１６が残るように削除することも可能である。ところで、このガイド部材１６の長さは、横引きシャッターのパネル幅に応じ、パネル３，３・・・が湾曲部１４を通過出来ると共に、ガタ付きを防止出来る寸法に設定される。
【００２４】
図４（ａ）は横引きシャッター１を収容していない上レール２の湾曲部１４を表し、同図の黒塗り部分は内側ガイド片１２が削除された領域を表している。従って、このままの状態で横引きシャッター１の上端部を上レール２に収容する場合、ガタ付くことが出来るスペースが残る。そこで、図４（ｂ）に示しているように、湾曲部１４の内側両端にはガイド部材１６，１６を設けている。
【００２５】
このガイド部材１６，１６を湾曲部１４の両端に設けることで、内部空間１５は小さくなると共に、パネル３，３のガタ付きが抑えられる。そして、このガイド部材１６，１６の長さはパネル３の幅に応じて設定され、ガタ付きが最も小さく抑えることが出来る寸法とされる。図４に示す湾曲部には３枚のパネル３ａ，３ｂ，３ｃが位置し、パネル３ａとパネル３ｃはガイド部材１６，１６によって拘束されている。このように、湾曲部１４に位置する３枚のパネル３ａ，３ｂ，３ｃの内、両側のパネル３ａ，３ｃがガイド部材１６，１６によって拘束されることで互いに連結している中央のパネル３ｂも拘束されてガタ付きが防止される。
【００２６】
図５は吊車６のローラ９，９の外周に丸みを持たせた場合を示している。湾曲部１４の両端部にガイド部材１６，１６を設けることでパネル上端部が拘束され、パネル３が内側へ倒れることが防止される。しかし、パネル３が倒れる場合、同図に示すようにローラ９，９の外周が丸みを有していることで、倒れが大きくなっても引っ掛かってこじれることはない。すなわち、図３に示す吊車６のローラ９，９のように丸みのない場合に比較して倒れが多少大きくなってもローラ９，９がこじれてパネル３の移動が困難に成ることはない。
【００２７】
図６は本発明の別形態を示している。同図の吊車６に備わっているローラ９，９は前記図５のローラ９，９のように外周に丸みを有しておらず、湾曲部１４を通過する際にパネル３が内側へ倒れても吊車６は傾かないように作動軸１８を有している。パネル３，３を連結する主継手４ａの上端には吊車６が取付けられ、しかも主継手４ａと吊車６とは作動軸１８を介して連結している。
【００２８】
図６（ａ）はパネル３が下方に垂下している状態を示し、図６（ｂ）はパネル３が内側へ倒れた状態を示している。作動軸１８を介して吊設することで、パネル３が倒れても吊車６が傾くことはなく、湾曲部１４をスムーズに通過することが出来る。
【符号の説明】
【００２９】
１  横引きシャッター
２  上レール
３  パネル
４  継手
５  引手框
６  吊車
７  床面
８  ロックツマミ
９  ローラ
10  レール片
11  突片
12  ガイド片
13  側壁
14  湾曲部
15  空間
16  ガイド部材
17  直線部
18  作動軸
【図１】
0005601526.tif 000002
【図２】
0005601526.tif 000003
【図３】
0005601526.tif 000004
【図４】
0005601526.tif 000005
【図５】
0005601526.tif 000006
【図６】
0005601526.tif 000007